(57)【要約】【課題】レンズの焦点切替機構を備える撮像機能付き携帯電子機器において、カメラの保護とケースの薄型化を満たした上で、焦点切替部材とケース外の操作ノブとの間のスペースの高密度実装を実現する。【解決手段】レンズ５ａの焦点切替機構を備える撮像機能付き携帯電子機器であって、機器ケース１・２内でレンズ５ａの周囲に設ける焦点切替部材５ｂと、機器ケース１・２外の周面部に設ける操作ノブ９と、機器ケース１・２内で焦点切替部材５ｂと操作ノブ９との間を接続するリンク機構７・８と、機器ケース１・２内でリンク機構７・８に重ねて配置する他の部品１０とを備える。他の部品は、状態表示用の照光素子１１が実装された基板１０である。【選択図】図１
2007074583.tif 000002
【特許請求の範囲】
【請求項１】
レンズの焦点切替機構を備える撮像機能付き携帯電子機器であって、
機器ケース内でレンズの周囲に設ける焦点切替部材と、
機器ケース外の周面部に設ける操作ノブと、
機器ケース内で焦点切替部材と操作ノブとの間を接続するリンク機構と、
機器ケース内でリンク機構に重ねて配置する他の部品とを備えることを特徴とする撮像機能付き携帯電子機器。
【請求項２】
前記他の部品は、状態表示用の照光素子が実装された基板であることを特徴とする請求項１に記載の撮像機能付き携帯電子機器。
【請求項３】
リンク機構は、操作ノブに接続してレンズとの間に配置されるレバー部材と、レンズの側方に配置されてレバー部材と焦点切替部材とを接続するスライド部材とからなり、
レバー部材と前記他の部品が重ねて配置されることを特徴とする請求項１または２に記載の撮像機能付き携帯電子機器。
【請求項４】
レンズ及び操作ノブは機器ケースのセンターライン上に位置し、
焦点切替部材はレンズの側方に位置することを特徴とする請求項１から３のいずれか一項に記載の撮像機能付き携帯電子機器。
【請求項５】
レンズの両側にスピーカが配置されていることを特徴とする請求項４に記載の撮像機能付き携帯電子機器。
【発明の詳細な説明】
【技術分野】
【０００１】
本発明は、マクロ／標準切替機能を備えた撮像機能付きの携帯電子機器に関する。
【背景技術】
【０００２】
撮像機能（カメラ機能）を備えた携帯電子機器としては、カメラ付きの携帯電話機が広く知られている。
カメラ付き携帯電話機などの撮像機能付き携帯電子機器では、通常撮影の外に接写撮影を行えるようにするために、レンズの焦点を切り替える機構を設けたものがある。
その焦点切替機構としては、例えば特許文献１のように、操作部材をリング状にして（特許文献１の特許請求の範囲では「操作リング」と表記されている、実施例の飾りリング８）、レンズ周囲のケース前面部に設けたものがある。この構成は、ケースの厚み方向の厚さが厚くなるので、特許文献１に従来技術として記載されているように、操作部材をスライド式のノブにして、ケースの側面に設ける構成のものが一般的である。
【０００３】
また、最近の携帯電話機では、撮像機能機能とともに音楽再生機能も重視されており、特許文献２のように、カメラのレンズをケースのセンターライン上に置いてその左右両側にスピーカを配置した構成のものもある。
【特許文献１】特開２００４−１６３８３０号公報
【特許文献２】特開２００４−５６４０８号公報（図１、図４参照）
【発明の開示】
【発明が解決しようとする課題】
【０００４】
ところで、特許文献１に開示されるように、レンズをケースのセンターラインからオフセット位置に設けたものに対し、デザイン上の観点からは、特許文献２に開示されるように、レンズをケースのセンターライン上に置く方が望ましい。
そして、特許文献１、２に開示されるように、レンズをケースの縁近くに置いたものに対し、カメラの保護の観点からは、レンズをケースの縁から離れた位置に置く方が望ましい。また、表示部とレンズが同一のケース面に設けられ、自分を撮影するとき、表示部にモニタ画像を映し出せる場合には、レンズは表示部に近い方が望ましく、このような観点からも、レンズをケースの縁から離れた位置に置く方が望ましい。
また、特許文献１の発明のようなレンズ焦点切替用の操作部材をケース前面部に設けるのに対し、ケースの厚み方向の厚さを薄くする観点からは、特許文献１に記載の従来技術のように、操作ノブをケースの周面部に設ける方が望ましい。
これら両方の要望を満たす場合、レンズの周囲に設ける焦点切替部材とケースの周面部に設ける操作ノブとの間を接続するための構成が必要となる。
【０００５】
本発明の課題は、レンズの焦点切替機構を備える撮像機能付き携帯電子機器において、カメラの保護とケースの薄型化を満たした上で、焦点切替部材とケース外の操作ノブとの間のスペースの高密度実装を実現することである。
【課題を解決するための手段】
【０００６】
以上の課題を解決するため、請求項１に記載の発明は、例えば図１から図３に示すように、レンズ５ａの焦点切替機構を備える撮像機能付き携帯電子機器であって、機器ケース１・２内でレンズ５ａの周囲に設ける焦点切替部材５ｂと、機器ケース１・２外の周面部に設ける操作ノブ９と、機器ケース１・２内で焦点切替部材５ｂと操作ノブ９との間を接続するリンク機構７・８と、機器ケース１・２内でリンク機構７・８に重ねて配置する他の部品１０とを備えることを特徴とする。
【０００７】
請求項１に記載の発明によれば、機器ケース内でレンズの周囲に設ける焦点切替部材と、機器ケース外の周面部に設ける操作ノブとをリンク機構により接続することで、レンズをケースの縁から離れた位置に置いて、カメラを保護できる。また、操作ノブをケース外の周面部に設けることで、ケースを薄型化できる。そして、リンク機構に重ねて他の部品を配置することで、焦点切替部材とケース外の操作ノブとの間のスペースの高密度実装を実現できる。
【０００８】
請求項２に記載の発明は、請求項１に記載の撮像機能付き携帯電子機器であって、例えば図１から図３に示すように、前記他の部品は、状態表示用の照光素子１１が実装された基板１０であることを特徴とする。
【０００９】
請求項３に記載の発明は、請求項１または２に記載の撮像機能付き携帯電子機器であって、例えば図１から図３に示すように、リンク機構は、操作ノブ９に接続してレンズ５ａとの間に配置されるレバー部材８と、レンズ５ａの側方に配置されてレバー部材８と焦点切替部材５ｂとを接続するスライド部材７とからなり、レバー部材８と前記他の部品１０が重ねて配置されることを特徴とする。
【００１０】
請求項４に記載の発明は、請求項１から３のいずれか一項に記載の撮像機能付き携帯電子機器であって、例えば図１及び図２に示すように、レンズ５ａ及び操作ノブ９は機器ケース１・２のセンターライン上に位置し、焦点切替部材５ｂはレンズ５ａの側方に位置することを特徴とする。
【００１１】
請求項４に記載の発明によれば、レンズ及び操作ノブを機器ケースのセンターライン上に置くことで、デザイン上も好ましい。
【００１２】
請求項５に記載の発明は、請求項４に記載の撮像機能付き携帯電子機器であって、例えば図１及び図４に示すように、レンズ５ａの両側にスピーカ１７が配置されていることを特徴とする。
【発明の効果】
【００１３】
本発明によれば、カメラを保護でき、ケースを薄型化できるとともに、焦点切替部材と操作ノブとの間の高密度実装を実現できるといった利点が得られる。
【発明を実施するための最良の形態】
【００１４】
以下、図を参照して本発明を実施するための最良の形態を詳細に説明する。
本発明を適用した一実施形態の構成を示す図１において、１は下ケース、２は上ケース、３はサブ表示部、４は照明ＬＥＤ、５はカメラ、６はカメラフレーム、７はスライド部材、８はレバー部材、９は操作ノブ、１０は状態表示照光素子基板、１１は状態表示照光素子、１２は撮像モード切替スイッチ、１３は表示窓、１４は照明窓、１５はレンズ窓、１６は小孔、１７はスピーカ、１８は多孔板である。
【００１５】
メイン表示部
機器ケースは、折畳み式携帯電話機の表示ケース側であって、互いに合体される下ケース１及び上ケース２により構成され、下ケース１にサブ表示部３、照明ＬＥＤ４、カメラ（カメラモジュール）５が組み付けられている。なお、下ケース１には、図示しない操作ケース側の機器ケースと結合するヒンジ部１ａが備えられている。また、図示されていないが、サブ表示部３の下にはメイン表示部が設けられており、ヒンジ部１ａを回動中心として表示ケースと操作ケースとを開いた際には、メイン表示部の表示内容を視認出来るようになっている。
カメラ５は、図２に示すように、下ケース１の長手方向に沿ったセンターライン（矢印Ａ−Ａ線）上で長手方向一端側寄りにレンズ５ａを配置したもので、レンズ５ａの側方に位置する焦点切替部材であるスライド動作式のマクロ・標準切り替えレバー５ｂを備える。
【００１６】
カメラ５を囲んで保持するカメラフレーム６は、照明ＬＥＤ保持部６ａとリンク機構保持部６ｂを一体に有している。
リンク機構は、スライド部材７及びレバー部材８により構成されている。スライド部材７は、カメラフレーム６のリンク機構保持部６ｂであって、レンズ５ａに対し側方に位置するスライドガイド６ｃにスライド自在に組み込まれる。レバー部材８は、薄板状のもので、カメラフレーム６のリンク機構保持部６ｂにおいて、図３にも示すように、センターライン上のピン６ｄを支点として回動自在に組み付けられる。
【００１７】
操作ノブ９は、下ケース１の長手方向に沿ったセンターライン（矢印Ａ−Ａ線）上で長手方向端面に沿ってスライド動作自在に上ケース２との間に組み込まれる。
以上において、スライド部材７及びレバー部材８は、それぞれの係合端部７ａ・８ａにより互いに係合して接続されていて、操作ノブ９は、レバー部材８の他方の係合端部８ｂに係合して接続されている。そして、スライド部材７の他端部上には、レンズ５ａの側方のマクロ・標準切り替えレバー５ｂに係合して接続する凸部７ｂが一体に形成されている。
【００１８】
さらに、レバー部材８の上には、状態表示照光素子基板である状態表示ＬＥＤ基板１０が重ねて配置される。状態表示ＬＥＤ基板１０は、携帯電話機の使用状態及び着信状態等の状態表示を行う状態表示照光素子である状態表示ＬＥＤ１１とともに、撮像モード切替スイッチ１２を搭載したものである。状態表示ＬＥＤ基板１０は、カメラフレーム６のリンク機構保持部６ｂ上に突設した複数本の基板保持部６ｅに保持される。
そして、スライド部材７には、撮像モード切替スイッチ１２の状態表示ＬＥＤ基板１０から側方に突出するレバー１２ａに係合可能な凸部７ｃが一体に形成されている。
【００１９】
また、上ケース２には、図４にも示すように、サブ表示部３に対応する表示窓１３、照明ＬＥＤ４に対応する照明窓１４、レンズ５ａに対応するレンズ窓１５が形成されるとともに、状態表示ＬＥＤ１１に対応する小孔１６が形成されている。
さらに、上ケース２内には、レンズ５ａの左右両側に位置するスピーカ１７が組み付けられている。
そして、上ケース２の表面には、図１に示すように、表示窓１３、照明窓１４及びレンズ窓１５の周囲を囲む形状をなして、小孔１６及びスピーカ１７を含んで覆う多孔板１８が組み付けられている。
【００２０】
次に、焦点切替機構の作用を説明する。
上ケース１及び下ケース２の端面に沿って操作ノブ９をスライド操作すると、操作ノブ９に係合端部８ｂで接続されたレバー部材８が、ピン６ｄを支点として回動する。そして、レバー部材８に係合端部７ａ・８ａで接続されたスライド部材７が、スライドガイド６ｃ上をセンターラインに沿った方向にスライド動作する。これにより、スライド部材７上の凸部７ｂに接続されたマクロ・標準切り替えレバー５ｂがスライド動作して、レンズ５ａの焦点がマクロと標準に切り替えられる。
また、スライド部材７上の凸部７ｃがレバー１２ａに係合して撮像モード切替スイッチ１２により撮影モードのマクロ・標準が切替えられる。
【００２１】
以上、実施形態の折畳み式携帯電話機、すなわち、表示ケース側の機器構成によれば、レンズ５ａ及びその焦点切替機構の操作ノブ９を機器ケース（上ケース１及び下ケース２）のセンターライン上に置いたため、デザイン上好ましい。
そして、マクロ・標準切り替えレバー５ｂと操作ノブ９とをスライド部材７及びレバー部材８により接続したため、レンズ５ａを機器ケース（上ケース１及び下ケース２）の縁から離れた位置に置いて、カメラ５を保護できる。
しかも、操作ノブ９を機器ケース（上ケース１及び下ケース２）外の周面部に設けたため、機器ケース（上ケース１及び下ケース２）を薄型化できる。
その上、薄板状のレバー部材８に重ねて状態表示ＬＥＤ基板１０を配置したため、マクロ・標準切り替えレバー５ｂと操作ノブ９との間のスペースの高密度実装をも実現できる。
【００２２】
なお、以上の実施形態においては、撮像機能付き携帯電子機器として携帯電話機としたが、本発明はこれに限定されるものではなく、デジタルカメラ、カメラ付きのノート型パーソナルコンピュータ、ＰＤＡ（Personal Digital Assistance）、電子手帳、無線通信機、その他の撮像機能付きの携帯電子機器であっても良い。
また、リンク機構や他の部品の具体的構成等も任意であり、その他、具体的な細部構造等についても適宜に変更可能であることは勿論である。
【図面の簡単な説明】
【００２３】
【図１】本発明を適用した一実施形態の構成を示すもので、機器ケース、カメラフレーム、リンク機構、操作ノブ、状態表示ＬＥＤ基板の分解斜視図である。
【図２】図１のカメラフレーム、リンク機構、操作ノブ、状態表示ＬＥＤ基板を組み付けた状態を示した要部平面図である。
【図３】図２の矢印Ａ−Ａ線（センターライン）に沿った断面図である。
【図４】図２に対応した上ケースの内面を示す要部平面図である。
【符号の説明】
【００２４】
１・２  機器ケース
３  サブ表示部
４  照明ＬＥＤ
５  カメラ（カメラモジュール）
５ａ  レンズ
５ｂ  焦点切替部材
６  カメラフレーム
６ａ  照明ＬＥＤ保持部
６ｂ  リンク機構保持部
６ｃ  スライドガイド
６ｄ  ピン
６ｅ  基板保持部
７・８  リンク機構（スライド部材、レバー部材）
７ａ・８ａ・８ｂ  係合端部
７ｂ・７ｃ  凸部
９  操作ノブ
１０  状態表示照光素子基板
１１  状態表示照光素子
１２  撮像モード切替スイッチ
１２ａ  レバー
１３  表示窓
１４  照明窓
１５  レンズ窓
１６  小孔
１７  スピーカ
１８  多孔板
【図１】
2007074583.tif 000003
【図２】
2007074583.tif 000004
【図３】
2007074583.tif 000005
【図４】
2007074583.tif 000006